(57)【特許請求の範囲】
【請求項１】
通信ネットワーク内の移動局に移動サービスを提供する方法において、
第１の電気通信ノードにおける前記移動局に電気通信サービスを提供する指示を受信するステップと、
前記要求された電気通信サービスを提供できないことを判断するステップと、
前記指示された電気通信サービスを提供できる第２の電気通信ノードを識別するステップと、
ディジタル統合サービス網ユーザ部（ＩＳＵＰ）信号を使用して前記第１の電気通信ノードから前記第２の電気通信ノードに第１の回線呼接続を確立するステップであって、前記第１のＩＳＵＰ信号は、前記要求された電気通信サービスを提供するため、及び前記第１及び第２の電気通信ノード間の転送のために必要な制御データをカプセル化するステップと、
前記第２の電気通信ノードにおける前記第１のＩＳＵＰ信号から前記カプセル化された制御データを抽出するステップと、
前記第１の回線呼接続を介して前記移動局から受信したトラヒック・データに、前記抽出した制御データに従って前記要求された電気通信サービスを提供するステップと
を備えた方法。
【請求項２】
第２のＩＳＵＰ信号を使用して前記第２の電気通信ノードから前記第１の電気通信ノードへの第２の回線呼接続を確立するステップであって、前記第２の回線呼接続は更に前記第１の回線呼接続に接続され、かつ前記第２のＩＳＵＰ信号は前記第１の呼接続を介して前記電気通信サービスの前記提供の結果を表示するデータをカプセル化しているステップと、
前記ノードにおいて前記第１の回線呼接続を介して受信した前記トラヒック・データを処理することにより得た前記結果を前記第２の回線呼接続を介して前記第１のノードに返送するステップと
を更に備えた請求項１記載の方法。
【請求項３】
前記第１の電気通信ノードは、前記移動局にサービスをする移動通信交換局（ＭＳＣ）を含む請求項１記載の方法。
【請求項４】
前記第２の電気通信ノードは、前記第１の電気通信ノードと関係する移動局（ＭＳＣ）を含む請求項１記載の方法。
【請求項５】
前記第２の電気通信ノードは、前記ＩＳＵＰ信号を受信し、かつ処理し得る信号システムＮｏ．７（ＳＳ７）に基づく電気通信ノード含む請求項１記載の方法。
【請求項６】
前記電気通信サービスは、モデムにより非音声データ通信を含む請求項１記載の方法。
【請求項７】
前記電気通信サービスは、ファックス・アダプタを必要とする請求項６記載の方法。
【請求項８】
前記制御データは、
ボー・レートと、
パリティ・データと、
端末プロトコルと
を備えている請求項７記載の方法。
【請求項９】
前記表示は、前記移動局により送信され、呼接続を発生する直接転送アプリケーション部（ＤＴＡＰ）を備えている請求項１記載の方法。
【請求項１０】
接続された通信ネットワークを介して受信した前記移動局向けの終端呼接続を備えている請求項１記載の方法。
【請求項１１】
前記第１のＩＳＵＰ信号は任意選択パラメータを含み、かつ前記制御データは前記任意選択パラメータにカプセル化される請求項１記載の方法。
【請求項１２】
通信ネットワーク内の第１の電気通信ノードから第２の電気通信ノードにインタワーキング機能制御データを通信する方法において、
前記第１の電気通信ノードにおいて特定の移動局向けのインタワーキング機能を提供するための指示を受信するステップと、
前記第１の電気通信ノードにおいて前記受信した指示に関係する適切なインタワーキング機能制御データを判断するステップと、
前記第１の電気通信ノードから前記第２の電気通信ノードへ、前記判断されたインタワーキング機能制御データをカプセル化しているディジタル統合サービス網ユーザ部（ＩＳＵＰ）信号を送信するステップと
を備えた方法。
【請求項１３】
前記送信されたＩＳＵＰ信号は、前記インタワーキング機能制御データをカプセル化する任意選択パラメータを含む請求項１２記載の方法。
【請求項１４】
前記カプセル化されたインタワーキング機能制御データは、前記第１の電気通信ノードを前記第２の電気通信ノードと接続する中間ノード接続を介してトランスペアレントに転送される請求項１２記載の方法。
【請求項１５】
前記インタワーキング機能はモデム接続を含み、かつ前記インタワーキング機能制御データは前記モデム接続に接続するための設定及びパラメータを含む請求項１２記載の方法。
【請求項１６】
特定の移動局にサービスする移動通信交換局（ＭＳＣ）と、前記電気通信サービスを提供するように装備された電気通信ノードとの間の電気通信サービスに関係する制御データを通信する方法において、
前記移動局に提供されるべき前記電気通信サービスに関係する制御データを識別するステップと、
ディジタル統合サービス網ユーザ部（ＩＳＵＰ）信号内に前記識別された制御データをカプセル化するステップであって、前記ＩＳＵＰ信号は、更に、着呼番号として前記電気通信ノードに割り付けられた登録番号を指定するステップと、
前記ＭＳＣから前記電気通信ノードへ前記ＩＳＵＰ信号を送信するステップとを備えた方法。
【請求項１７】
前記制御データは、モデム接続用のモデム設定及びパラメータを含む請求項１６記載の方法。
【請求項１８】
前記ＩＳＵＰ信号は、前記制御データをカプセル化する任意選択パラメータを含み、前記任意選択パラメータは、前記ＭＳＣを前記電気通信ノードに接続している中間ノードを介してトランスペアレントに転送される請求項１６記載の方法。
【請求項１９】
前記移動通信交換局から、前記電気通信サービス制御データに関係する電気通信サービスを提供するために必要なハードウェア及びソフトウェアの装置を装備した電気通信ノードへ、電気通信サービス制御データを通信する特定の移動局をサービスする移動通信交換局内のシステムにおいて、
前記特定の移動局向けの前記電気通信サービスを提供する指示を受信する受信機と、
前記指示された電気通信サービスに関係する前記電気通信サービス制御データを識別するモジュールであって、更に、前記識別された電気通信サービス制御データをディジタル統合サービス網ユーザ部（ＩＳＵＰ）信号にカプセル化する前記モジュールと、
前記ＩＳＵＰ信号を前記電気通信ノードに向かって通信する送信機と
を備えたシステム。
【請求項２０】
前記電気通信サービスはモデム接続を備え、かつ前記電気通信サービス制御データはモデム設定及びプロトコル・データを備えている請求項１９記載のシステム。
【請求項２１】
前記ＩＳＵＰ信号は任意選択パラメータを備え、かつ前記電気通信サービス制御データは前記任意選択パラメータにカプセル化される請求項１９記載のシステム。
【請求項２２】
特定の移動局にサービスしている移動通信交換局（ＭＳＣ）と、前記電気通信サービスを提供するように装備された電気通信ノードとの間で電気通信サービスに関係する制御データを通信するシステムにおいて、
前記移動サービスに提供されるべき前記電気通信サービスに関係する制御データを識別する手段と、
ディジタル統合サービス網ユーザ部（ＩＳＵＰ）信号内に前記識別された制御データをカプセル化する手段であって、前記ＩＳＵＰ信号は、更に、着呼番号として前記電気通信ノードに割り付けられた登録番号を指定する手段と、
前記ＭＳＣから前記電気通信ノードへ前記ＩＳＵＰ信号を送信する手段と
を備えたシステム。
【請求項２３】
前記電気通信サービスは、
３．１ＫＨｚ音声モード又はＵＤＩモードによるＢＳ２ｘ（非同期ベアラ・サービス）インタワーキング、
３．１ＫＨｚ音声モード又はＵＤＩモードによりＢＳ３ｘ（同期ベアラ・サービス）インタワーキング、
３．１ＫＨｚ音声モードによってのみＴＳ６１及び６２（ファキシミリ・グループ３テレサービス）インタワーキング、
ＢＳ４ｘ（ＰＡＤアクセス）、
ＢＳ５ｘ（パケット・アクセス）、
ＢＳ６１（交番する音声／データ）、
ＢＳ８１（データが続く音声）、
ノントランスペアレント・データ・サービス用のデータ圧縮、及び
高速度回線交換データ（ＨＳＣＳＤ：Ｈｉｇｈ  Ｓｐｅｅｄ  Ｃｉｒｃｕｉｔ  Ｓｗｉｔｃｈｅｄ  Ｄａｔａ）
からなるグループから選択される請求項２２記載のシステム。
【請求項２４】
前記ＩＳＵＰ信号は任意選択パラメータを含み、かつ前記制御データは前記任意選択パラメータにカプセル化される請求項２２記載のシステム。
【請求項２５】
複数の加入者に音声サービス及びデータ・サービスの両方を提供するセルラ無線通信ネットワークにおける複数の移動通信交換局（ＭＳＣ）を接続しているデータ・ネットワークにおけるデータ・パケットを送信する方法であって、前記ＭＳＣは、前記データ・ネットワークにより、前記加入者のデータ呼に関係するデータを処理するインタワーキング機能を提供するネットワーク・ノードに接続されている方法において、
ＭＳＣのソースＭＳＣの識別及び前記パケット用の着信ノードを含むラベルを各パケットに挿入するステップと、
前記ソースＭＳＣと前記着信ノードとの間に第１の回線呼接続を設定することを要求するメッセージを含む情報フィールドを前記パケットに挿入するステップと、
前記ソースＭＳＣにおける特定の加入者により必要とされる形式のインタワーキング機能、及びその機能を提供するために必要とされる付加的なパラメータを指定する制御データを前記パケットに挿入するステップと、
前記ソースＭＳＣから前記着信ノードへ前記パケットを送出するステップとを備えた方法。
【請求項２６】
前記着信ノードと前記ソースＭＳＣとの間に第１の回線呼接続を設定するステップと、
前記特定の加入者に関係するデータを処理するために、前記パケット内の前記制御データ及びパラメータに従って、前記複数のインタワーキング機能のうちから選択された１つを前記着信ノード内の前記第１の回線呼接続に接続するステップと、
前記選択されたインタワーキング機能により処理するために、前記ソースＭＳＣから前記着信ノードへ前記特定の加入者のデータ呼に関係するデータを送出するステップと
を付加的なステップとしてに含む請求項２５記載のデータ・ネットワークにデータ・パケットを送信する方法。
【請求項２７】
前記パケットのソースである前記着信ノードと、前記パケットの着信先としての前記ソースＭＳＣの識別を含むラベルを有する第２のデータ・パケットを前記着信ノードにおいて発生するステップと、
前記着信ノードと前記ソースＭＳＣとの間に第２の回線呼接続を設定することを要求するメッセージを含む情報フィールドを前記第２のデータ・パケットに挿入するステップと、
前記着信ノードにおいて選択され、かつ前記第１の呼接続に接続されたインタワーキング機能を提供する結果を指定する制御データを前記第２のデータ・パケットに挿入するステップと、
前記ソースＭＳＣから前記着信ノードへ前記パケットを送出するステップと
を付加的なステップとして含む請求項２６記載のデータ・ネットワークにデータ・パケットを送信する方法。
【請求項２８】
前記着信ノードにおいて前記選択されたインタワーキング機能により前記特定の加入者のデータ呼に関係するデータを処理するステップと、
前記着信ノードから前記第２の呼接続を介して前記ソースＭＳＣへ前記処理されたデータを送出するステップと
を付加的なステップとして含む請求項２７記載のデータ・ネットワークにデータ・パケットを送信する方法。
【請求項２９】
前記データ・パケットは、ディジタル統合サービス網ユーザ部（ＩＳＵＰ）プロトコル標準に従って構築されている請求項２５記載のデータ・ネットワークにデータ・パケットを送信する方法。
【請求項３０】
前記着信ノードにおいて選択され、かつ前記第１の呼接続に接続されるインタワーキング機能を提供する結果を指定する制御データは、前記ＩＳＵＰデータ・パケットの情報フィールド内の任意選択パラメータのうちの１つとして含まれている請求項２９記載のデータ・ネットワークにデータ・パケットを送信する方法。
【請求項３１】
セルラ無線電話システム・ネットワーク内の異なる複数の地理的領域に音声呼及びデータ呼の両方により複数の移動加入者にサービスするように、複数の移動通信交換局（ＭＳＣ）間で高速度ディジタル・メッセージを搬送する前記ネットワークにおいて、
複数のデータ呼サービスを要求する特定の移動加入者にサービスするＭＳＣを備えた第１のネットワーク・ノードと、
前記システム・ネットワークにより前記第１のネットワーク・ノードに接続された前記加入者のデータ呼に関係するデータ処理のために複数のインタワーキング機能を提供する第２のネットワーク・ノードと、
前記加入者に対して複数の移動電気通信サービスを提供することに関連する前記第１及び第２のネットワーク・ノード間でディジタル・データ・メッセージを搬送する信号システムと
の組み合わせであって、通信プロトコルに係わる前記信号システムは、
ソース・ネットワークとして前記第１のネットワーク・ノード、及び着信ネットワーク・ノードとして前記第２のネットワーク・ノードの情報を備えた第１のデータ・パケット・ラベルと、
前記ソース・ネットワーク・ノードから前記着信ネットワーク・ノードへ送出されるメッセージであって、これらの間に第１の回線呼接続を設定することを要求するメッセージ、及び
前記ソース・ノードにおける特定の加入者により前記着信ノードにおいて必要とする形式のインタワーキング機能、及びこの機能を提供するために必要な付加的パラメータを指定する第１の制御データ
を備えた第１の情報ブロックと
を含む通信プロトコルに関連する前記組み合わせ。
【請求項３２】
前記通信プロトコルは、更に、
前記ソースであるとする着信ネットワーク・ノード、及び前記着信であるとする前記ソース・ネットワーク・ノードの識別を備えた第２のデータ・パケット・ラベルと、
前記着信ネットワーク・ノードから前記ソース・ネットワーク・ノードへ送出される第２のメッセージであって、前記インタワーキング機能により処理されたデータ呼を前記加入者にサービスしている前記ソース・ノードに送出するために、これらの間に第２の回線呼接続を設定することを要求する前記メッセージ、及び
前記着信ノードにおいて選択され、かつ前記第１の呼接続に接続されるインタワーキング機能を提供することの結果を指定する第２の制御データ
を備えた第２の情報ブロックと
を備えた請求項３１項記載のセルラ無線電話システム・ネットワーク。
【発明の詳細な説明】
発明の背景
発明の技術分野
本発明は、移動無線電話システムに関し、特に通信ネットワーク内の共有インタワーキング機能ＳＩＷＦにおける制御データの通信に関する。
関連技術の説明
一般に、典型的な移動電気通信システムは、複数の移動通信交換局（ＭＳＣ：ｍｏｂｉｌｅ  ｓｗｉｔｃｈｉｎｇ  ｃｅｎｔｅｒ）を含み、それぞれはＭＳＣサービス・エリアとして知られている特定の地理的領域内に位置する複数の移動局に移動サービスを提供する。更に、各ＭＳＣサービス・エリアは、ロケーション・エリア（Ｌｏｃａｔｉｏｎ  Ａｒｅａ）として知られている多数の地理的な小領域に分けられる。各ロケーション・エリアは、更に、多数のセル・エリア（Ｃｅｌｌ  Ａｒｅａ）に分割される。
特定の移動局が特定のセル・エリア内で移動サービスを要求すると、その特定のセル・エリアに対して移動サービスを提供する適切な基地局は、送信された要求を検出し、かつ受信した信号を接続されている移動通信交換局（ＭＳＣ）に転送する。次いで、ＭＳＣは、移動サービスを要求している関係の移動加入者の識別を決定し、受信したデータを分析して、決定された移動加入者が要求する適切な移動サービスを提供する。従って、ＭＳＣは、必要な他のハードウェア及びソフトウェアのリソースと共に適切なアプリケーション・レイヤ・モジュールを記憶し、かつ実行して、要求した移動サービスをそのＭＳＣサービス・エリア内を現在移動している移動加入者に提供する。このようなハードウェア及びソフトウェアのリソースは、特殊な加入者構成モジュール、アナウンスメント・マシン、ファックス・アダプタ、モデム・プール、速度アダプタ、及び他の音声及びデータ制御装置と共にこれらのドライバを含む。
各ＭＳＣは受信したデータを個別的に分析し、かつ関連する移動加入者に対して必要な移動サービスを提供する必要があるので、関連する移動加入者にサービスをする選択された公衆陸上移動ネットワーク（ＰＬＭＮ：Ｐｕｂｌｉｃ  Ｌａｎｄ  Ｍｏｂｉｌｅ  Ｎｅｔｗｏｒｋ）内のあらゆるＭＳＣは、同一のソフトウェア及びハードウェアのモジュール及びリソースを装備して、関連する移動加入者に均一なサービスを提供する必要がある。このようなサービスは、音声サービスばかりでなく、データ・サービスも含む。図示のように、移動電気通信網内のデータ・サービスに適応するために、サービス中のＰＬＭＮ内の各ＭＳＣは、モデム及びファックス・アダプタ・ツールを供給すると共にシステム内で速度適応が得られるようにインタワーキング機能（ＩＷＦ：Iｎｔｅｒｗｏｒｋｉｎｇ  Ｆｕｎｃｔｉｏｎ）として知られているデータ管理機能を有する必要がある。従って、特定の移動加入者がモデムを介してＰＬＭＮの全般にわたって特定の公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋ）に関係するコンピュータ端末とデータを通信できるようにするために、ＰＬＭＮ内のあらゆるＭＳＣは、ＩＷＦ及びそれに関連するモデム・プールを備える必要がある。特定のＰＬＭＮ内のあらゆるＭＳＣがこのような装置及びドライバの全数を備えることを必要とすることは、高価であり、かつ非効率的である。ＩＷＦサービスはＰＬＭＮにおける大多数のＭＳＣ内でたまに利用されると思われるので、非効率的である。その上、設置した装置を維持し、かつアップグレードするために、あらゆるＭＳＣがサービスされる必要がある。
移動通信用グローバル・システム（ＧＳＭ：Ｇｌｏｂａｌ  Ｓｙｓｔｅｍ  ｆｏｒ  Ｍｏｂｉｌｅ  ｃｏｍｍｕｎｉｃａｔｉｏｎ）標準のような移動電気通信システムの絶え間のない発展に伴い、以上に述べた非効率性及び不経済性のいくつかの除去するために共有インタワーキング機能（ＳＩＷＦ：Ｓｈａｒｅｄ  Ｉｎｔｅｒｗｏｒｋｉｎｇ  Ｆｕｎｃｔｉｏｎ）の概念が導入された。ＳＩＷＦの概念によれば、必要とするハードウェア及びソフトウェアのモジュール及び装置は、サービス中のＰＬＭＮ内で選択された１つのノード（例えばＳＩＷＦ  ＭＳＣ）に設けられる。他の各ノード（例えばサービス中のＭＳＣ）は、更にＩＷＦを保持することもできるが、必要なサービスを得るためにＳＩＷＦを備えたノードと通信することにより、ＩＷＦサービスをその移動加入者に付加的に提供することもできる。その結果、ＳＩＷＦの概念は、データ・トラヒックが低いと予想され、かつ必要なハードウェア及びソフトウェアのモジュールを局所的に設置するためには、又は十分に大きな容量若しくは特定形式のハードウェア又はソフトウェアのモジュールを設置するためには、高価過ぎるとみなされる領域にもデータ・サービスに必要とされる特定の機能を提供できる可能性をもたらす。更に、サービス中のＭＳＣによるデータ・トラヒックの局部的なオーバーロードの場合に、データ呼の取り扱いを他の電気通信ノードによってできるようにする。加えて、これは新しいデータ・サービスのより速い導入及び展開を可能にする。
ＳＩＷＦノードからサービスをアクセスするために、移動加入者にサービス中のＭＳＣは、データを受信した加入者と通信するだけではなく、どのような形式の装置を利用するのか、及びどのような制御パラメータ及び設定を適用するのかについて表示する制御データを通信することが必要である。しかしながら、移動サービスを得るためにＭＳＣを制御する移動電話サブシステム（ＭＴＳ：Ｍｏｂｉｌｅ  Ｔｅｌｅｐｈｏｎｙ  Ｓｕｂｓｙｓｔｅｍ）のようなシステムは、よく定義された通信信号及びプロトコルを有する。その結果、このような制御データを通信するために新しい信号メッセージ、プロトコル及びパラメータを導入することは、好ましくなく、かつ非効率的である。導入された新しいメッセージ及びプロトコルは、管理している標準委員会により再検討され、かつ承認される必要がある。更に、サービス中のＭＳＣをＳＩＷＦ  ＭＳＣに接続しているあらゆる中間及び転送ノードは、新しい信号を受信し、かつ識別するために更新されなければならない。
従って、サービス中のＭＳＣがＳＩＷＦノードとＳＩＷＦ制御データを、接続しているネットワークを介してトランスペアレントに、かつ新しい信号プロトコルを導入することなく、通信できるようにする機構が必要である。
発明の概要
本発明は、特定の移動局にサービス中の移動通信交換局（ＭＳＣ）と、前記移動局に要求されたＩＷＦサービスを提供するために必要なハードウェア及びソフトウェアのモジュールを備えた電気通信ノードとの間で、インタワーキング機能（ＩＷＦ）制御データを通信する方法及び装置を開示する。サービス中のＭＳＣは、前記移動局に対してＩＷＦサービスを提供する指示の受信に応答して、指示されたＩＷＦサービスに関係するＩＷＦ制御データについて識別する。次いで、サービス中のＭＳＣは、識別したＩＷＦの制御データをディジタル統合サービス網ユーザ部（ＩＳＵＰ：Ｉｎｔｅｇｒａｔｅｄ  Ｓｅｒｖｉｃｅ  Ｄｉｇｉｔａｌ  Ｎｅｔｗｏｒｋ  Ｕｓｅｒ  Ｐａｒｔ）信号内の任意選択パラメータにカプセル化する。次いで、サービス中のＭＳＣは、着呼番号として電気通信ノードに割り付けられた登録番号を利用して、ＩＷＦ制御データをカプセル化したＩＳＵＰ信号を電気通信ノードに向けて送信する。次いで、カプセル化されたＩＷＦ制御データは、サービス中のＭＳＣを着信電気通信ノードに接続している中間ノードを介して、トランスペアレントに転送される。
【図面の簡単な説明】
本発明の方法及び方法のより完全な理解は、添付する図面に関連する以下の詳細な説明を参照することにより、得られる。
図１は移動局に移動サービスを提供し、かつ他の通信ネットワークに接続する公衆陸上移動ネットワーク（ＰＬＭＮ）のブロック図である。
図２は移動局にデータ・サービスを提供する移動通信交換局（ＭＳＣ）のブロック図である。
図３は移動局にデータ・サービスを提供するように異なる２つのノード間で共有インタワーキング機能を示すＰＬＭＮのブロック図である。
図４はインタワーキング機能（ＩＷＦ）制御データをカプセル化するディジタル統合サービス網ユーザ部（ＩＳＵＰ）のフォーマットを示す信号プロトコル図である。
図５は本発明に従いＩＳＵＰメッセージを使用してサービス中のＭＳＣとＳＩＷＦノードとの間のＩＷＦ制御データの通信を示すＰＬＭＮのブロック図である。
図６は本発明に従いＩＳＵＰメッセージを使用してサービス中のＭＳＣとＳＩＷＦノードとの間のＩＷＦ制御データの通信を示す信号シーケンス図である。
図７は本発明に従いＳＩＷＦノードを介して移動局にデータ・サービスを提供するために実行されるステップを示すフロー・チャートである。
図面の詳細な説明
図１は移動局に移動サービスを提供し、かつ他の通信ネットワークに接続する公衆陸上移動ネットワーク（ＰＬＭＮ）のブロック図である。移動局２０と通信するために利用されるＰＬＭＮ１０は、多数の移動通信交換局（ＭＳＣ）３０、ホームロケーション（位置）レジスタ４０（ＨＬＲ：ｈｏｍｅ  ｌｏｃａｔｉｏｎ  ｒｅｇｉｓｔｅｒ）、ビジター（訪問者）位置レジスタ（ＶＬＲ：ｖｉｓｉｔｏｒ  ｌｏｃａｔｉｏｎ  ｒｅｇｉｓｔｏｒ）５０、及び基地局コントローラ（ＢＳＣ：ｂａｓｅ  ｓｔａｔｉｏｎ  ｃｏｎｔｒｏｌｌｅｒ）６０を備えている。各ＢＳＣ６０は通信リンク７０を使用して適切なＭＳＣ３０に接続されて、多数の基地局（ＢＳ、図１には示されていない）を制御している。これに関係する複数のＢＳのうちの１つを使用し、ＢＳＣ６０は、無線チャネル８０を介して移動局２０と通信する。移動局２０は、更に、公衆交換電話網（ＰＳＴＮ）に対する接続９０を介してワイヤ回線端末（図１に示されていない）のような他の加入者と通信をする。ＨＬＲ４０は、全ての「ホーム」加入者、これらのサービス及び位置についての情報を含む集中化データ・ベースである。例えば、ＨＬＲ４０は、特定の加入者が特定の呼転送機能に対して申込又は予約をしているか否かを反映する加入者カテゴリ情報、また加入者が活性化された機能を有するときは、転送・番号（ｆｏｒｗａｒｄ−ｔｏ−ｎｕｍｂｅｒ）の識別を含む。
移動加入者からの呼即ち移動サービスは、移動加入者がまず所望の着側番号、即ちサービス符号をキー・インし、次いで送出ボタンを押すと、開始する。アクセス・チャネルが捕捉され、これによって移動識別及び入力された番号がＢＳＣ６０を介してＭＳＣ３０へ自動的に送信される。次いで、ＭＳＣ３０は、関係するＨＬＲ４０から前に取り出した加入者情報を利用することにより、発呼者がシステムに対してアクセスを有することを検証する。更に、キー・インされた番号を解析して、発呼者がこの特定の番号を呼び出すこと、又は入力されたサービス符号即ちコマンドに関係したサービスを呼び出すことができるか否かを判断する。全ての解析が肯定的であれば、移動局２０がアナログ又はディジタル・チャネル８０に割り付けられ、かつサービス（例えば、呼接続）が提供される。
従って、サービス中のＭＳＣ３０は、他の必要なハードウェア及びソフトウェアのリソースと共に、適切なアプリケーション・レイヤ・モジュールを記憶し、かつ実行して、そのサービス・エリア内を現在移動している移動加入者に対して要求された移動サービスを提供する。このようなハードウェア及びソフトウェアのリソースは、特殊な加入者構成モジュール、アナウンスメント・マシン、ファックス・アダプタ、モデム・プール、速度アダプタ、及び他の音声及びデータ制御装置と共にこれらのドライバを含む。
ここで、移動局２０に移動サービスを提供するＭＳＣ３０（図１）の論理的なアーキテクチャを示す図２を参照する。オープン・システム・インタフェース（ＯＳＩ：Ｏｐｅｎ  Ｓｙｓｔｅｍ  Ｉｎｔｅｒｆａｃｅ）標準に従って、ＭＳＣ３０の最下位レベルには、接続された通信ネットワーク内の他のノードに対する物理接続１００が設けられる。このような接続は、多数のＢＳＣ６０に対するものであり、それぞれはサービス中のＭＳＣ３０に関係する複数のＢＳを制御して、複数の特定セル領域に無線サービス・エリアを提供する。他のこのような接続は、他のＭＳＣ４０、又はサービス中のＰＬＭＮ即ちＰＳＴＮに接続された他の電気通信ノードに対するものである。物理接続レベル１００の上位には、移動加入者に対して必要な移動サービスを提供するハードウェア装置及びモジュール１１０示されている。このようなハードウェア装置は、例えば、接続された通信ネットワークを介してデータを通信するためのモデム１２０及びファックス・アダプタ１３０を含む。ハードウェア装置及びモジュールの上位には、ハードウェア装置及びモジュール１１０をインタフェースし、かつ制御するオペレーション・システム１４０がある。図示のように、オペレーション・システム１４０は、モデム１２０及びファックス・アダプタ１３０を接続するドライバを含む。オペレーション・システム１４０は、続いて、インタフェースとして機能し、アプリケーション・レイヤ・モジュール１５０が下位のハードウェア装置及び物理接続をアクセスして利用し、関係する複数の移動加入者に対して必要な移動サービスを提供できるようにする。
モデム１２０及びファックス・アダプタ１３０の前記説明により示唆されるように、複数の移動加入者は、無線チャネルを介する音声データの通信に限定されない。特に、時分割多元接続（ＴＤＭＡ）及び符号分割多元接続（ＣＤＭＡ）の技術のように、移動通信用グローバル・システム（ＧＳＭ）及びディジタル通信の導入により、移動加入者は、サービス中のＭＳＣ内で局所的に関係するモデム装置を使用してコンピュータ端末に接続可能である。移動加入者は、更に、サービス中のＭＳＣと関係するファックス・アダプタを使用してファックス・データを送受信することができる。このようなデータ・サービスは、ＢＳＣ６０からの接続７０を介して搬送されるユーザ・データ間でのインタワーキング・データ・ネットワーク上で使用されるフォーマットの採用、即ちインタワーキングを実行するインタワーキング機能（ＩＷＦ）サービスとして知られている。一説明として、ＩＷＦは、下記を含むＧＳＭフェーズ２＋サービスと共に、全ての回線交換データ・サービス（ＴＳ  ＧＳＭ０２．０２及びＴＳ  ＧＳＭ０２．０３において定義されているように）に適用する。即ち、
3.  １ＫＨｚ音声モード又はＵＤＩモード（Ｖ．１１０速度適応を利用する）によるＢＳ２ｘ（非同期ベアラ（ｂｅａｒｅｒ）・サービス）インタワーキング；
3.  １ＫＨｚ音声モード又はＵＤＩモード（Ｖ．１１０速度適応、又はＸ．３１フラグスタフィング（ｆｌａｇｓｔｕｆｆｉｎｇ）を使用する）によるＢＳ３ｘ（同期ベアラ・サービス）インタワーキング；
3.  １ＫＨｚ音声モードによってのみＴＳ６１及び６２（ファクシミリ・グループ３テレサービス）インタワーキング；
ＢＳ４ｘ（ＰＡＤアクセス）、
ＢＳ５ｘ（パケット・アクセス）、
ＢＳ６１（交番する音声／データ）、
ＢＳ８１（データが続く音声）、
ノントランスペアレント・データサービス用のデータ圧縮、
高速度回線交換データ（ＨＳＣＳＤ：Ｈｉｇｈ  Ｓｐｅｅｄ  Ｃｉｒｃｕｉｔ  Ｓｗｉｔｃｈｅｄ  Ｄａｔａ）、並びに
例えば汎用パケット無線サービス（ＧＰＲＳ：Ｇｅｎｅｒａｌ  Ｐａｃｋｅｔ  Ｒａｄｉｏ  Ｓｅｒｖｉｃｅ）及びＰＤＳと共に、他の構成サービスを含めることができる。
特定のＰＬＭＮ内には多数のＭＳＣが存在し、それぞれが限定された地理的領域に移動サービスを提供している。従って、サービス中のＰＬＭＮの全域で移動局に対して均一なＩＷＦデータ・サービスを提供するために、あらゆる前記ＭＳＣは、必要とする全てのＩＷＦハードウェア／ソフトウェアのモジュール及び装置を備えなければならない。更に、提供されたＩＷＦハードウェア／ソフトウェアのモジュール及び装置は、予測されるデータ・サービス・トラヒックを管理するために十分な容量を有する必要がある。このような必要条件は、移動通信ネットワークを運用し、かつ維持しているサービス・プロバイダにとって不十分であり、かつ不経済である。このようなことは、各ＭＳＣ内のＩＷＦサービスが大多数のＭＳＣ内で頻繁には使用されないと思われるので、不経済である。このようなことは、設置した装置を維持し、かつアップグレードするために、あらゆるＭＳＣが相互的にサービスされなければならないので、不経済である。
ＩＷＦデータ・サービスと関係する前述の好ましくない特性のいくつかを除去するために、共有インタワーキング機能（ＳＩＷＦ）の概念が導入された。ここで、移動局２０にＩＷＦサービスを提供するために共有インタワーキング機能（ＳＩＷＦ）の概念を示す図３を参照する。ＳＩＷＦの概念によれば、ＩＷＦサービスを提供するハードウェア装置及びモジュール１１０、１２０、１３０は、サービス中のＰＬＭＮ１０に関係する１ノード１９０（ＳＩＷＦノード）に設置される。このようなノードは独立した電気通信ノード１９０であってもよく、又はサービス中のＰＬＭＮ内に位置する他の移動通信交換局（ＭＳＣ）５１０内に関係してもよい。更に、サービス中のＰＬＭＮ又はＰＳＴＮと関係する信号システムＮｏ．７（ＳＳ７：Ｓｉｇｎａｌｉｎｇ  Ｓｙｓｔｅｍ  Ｎｏ．７）に基づくＭＳＣ５１０であってもよい。次いで、必要とするＩＷＦハードウェア及び／又はソフトウェアのモジュールを備えていない（又は不十分な数又は形式のソフトウェアのＩＷＦ装置を備えた）サービス中のＰＬＭＮ１０内の他のＭＳＣ３０は、ＳＩＷＦ電気通信ノード１９０と通信して移動局２０に要求されたＩＷＦサービスを提供する。
ＳＩＷＦ機能の説明として、サービス中のＭＳＣ３０は、移動局２０に対してＩＷＦサービスを提供するための指示を受け取る。発呼接続のときに、このような指示は、無線チャネルを介して移動局２０から受信した直接転送アプリケーション部（ＤＴＡＰ：Ｄｉｒｅｃｔ  Ｔｒａｎｓｆｅｒ  Ａｐｐｌｉｃａｔｉｏｎ  Ｐａｒｔ）に基づく信号を含む。他方、着呼接続のときに、このような指示は、接続された信号システムＮｏ．７（ＳＳ７）通信ネットワークを介して受信した呼設定終了要求（ｔｅｒｍｉｎａｔｉｎｇ  ｃａｌｌ  ｓｅｔｕｐ  ｒｅｑｕｅｓｔ）を含む。次いで、ＭＳＣ３０内のインタワーキング機能（ＩＷＦ）アプリケーション・モジュール１７０は、要求されたＩＷＦサービスをサービス中のＭＳＣ３０のＩＷＦが提供できないことを判断する。例えば、サービス中のＭＳＣ３０は、コンピュータ端末１７０とのモデム接続を確立するモデム装置を備えていない恐れがある。一方、設置した全ての装置即ちモデムは、既に同一サービス中のＭＳＣ３０内の他の呼により利用されていることもある。このような判断をした後に、ＩＷＦアプリケーション・モジュール１７０は、着呼番号（ｃａｌｌｅｄ  ｐａｒｔ  ｎｕｍｂｅｒ）としてＳＩＷＦノード１９０に割り付けられた登録番号を使用してＳＩＷＦノード１９０に向け初期アドレス・メッセージ（ＩＡＭ）のような、ディジタル統合サービス網ユーザ部（ＩＳＵＰ）に基づく呼設定信号を送信する。次いで、ＩＡＭ信号は指定されたＳＩＷＦノードに正しく経路選択され、その結果、サービス中のＭＳＣ３０とＳＩＷＦノード１９０との間に第１の回線呼接続２００が確立される。次いで、ＳＩＷＦ電気通信ノード１８０内のＳＩＷＦアプリケーション・モジュール１８０は、適切なハードウェア及び／又はソフトウェア・モジュール即ち装置を捕捉し、かつ捕捉したモジュール即ち装置を第１の回線呼接続とリンクさせ、かつ捕捉したモジュール即ち装置がサービス中のＭＳＣ３０から第１の回線呼接続２００を介して受信したデータを制御して変更できるようにする。このような変更は、移動局２０と通信したアナログ及びディジタル・データを変調し、かつ復調することを含む。捕捉成功後に、移動局２０向けの呼接続終結の場合は、ＳＩＷＦノード１９０は、サービス中のＭＳＣ３０に向かってＩＡＭのように、他のＩＳＵＰに基づく呼設定信号を送信してＳＩＷＦノード１９０とサービス中のＭＳＣ３０との間に第２の回線呼接続２１０を確立する。第２の回線呼接続２１０は、ＳＩＷＦノード１９０から逆にサービス中のＭＳＣ３０へ捕捉した装置により変更されたデータを通信するように要求される。第２の回線呼接続２１０を介して変更されたデータを受信した後、サービス中のＭＳＣ３０は、移動局２０と変更したデータを通信する。
他方、移動局２０により発生された発呼接続のときに、ＳＩＷＦノード１９０は、中継線呼接続をサービス中のＭＳＣ３０に戻してループさせる必要はない。代わりに、ＳＩＷＦノード１９０は接続したＰＳＴＮと呼接続を直接確立して、変更したデータを着呼端末へ経路選択する。
しかしながら、ＳＩＷＦノード１９０からＩＷＦサービスをアクセスするために、サービス中のＭＳＣ３０は、移動局から受信したデータ、移動局に向けたデータだけでなく、要求されたＩＷＦサービスと関係する制御データも通信する必要がある。説明として、前述のようにＰＳＴＮ１６０に接続されたコンピュータ端末１７０に対するモデム接続のときに、ボー速度、端末プロトコル形式、パリティ・データ、及び２つの端末間で正しい通信に必要とされる他の同期データを表す制御データは、ＳＩＷＦノード１９０に通信するために必要である。従って、サービス中のＭＳＣ３０からＳＩＷＦノード１９０へこのような制御データを転送する個別的な通信機構が必要とされる。
サービス中のＭＳＣ３０とＳＩＷＦノード１９０との間でこのような制御データを通信するために新しい信号プロトコル及び／又はパラメータを導入することは、好ましくなく、また面倒である。新しい信号プロトコルは、欧州電気通信標準（ＥＴＵ：Ｅｕｒｏｐｅａｎ  Ｔｅｌｅｃｏｍｍｕｎｉｃａｔｉｏｎｓ  Ｓｔａｎｄａｒｄ）及び米国国家規格協会（ＡＮＳＩ：Ａｍｅｒｉｃａｎ  Ｎａｔｉｏｎａｌ  Ｓｔａｎｄａｒｄｓ  Ｉｎｓｔｉｔｕｔｅ）のように、管理している標準委員会により再検討されて承認される必要がある。更に、サービス中のＭＳＣ３０をＳＩＷＦノード１９０に接続する各中間及び転送ノードは、新しい信号を受信して確認するように更新される必要がある。同様に、存在するアプリケーション・レイヤ接続なしの信号プロトコルを利用することも望ましくない。移動アプリケーション部（ＭＡＰ：Ｍｏｂｉｌｅ  Ａｐｐｌｉｃａｔｉｏｎ  Ｐａｒｔ）、トランザクション能力アプリケーション部（ＴＣＡＰ：Ｔｒａｎｓａｃｔｉｏｎ  Ｃａｐａｂｉｌｉｔｉｅｓ  Ａｐｐｌｉｃａｔｉｏｎ  Ｐａｒｔ）、又は他の信号接続制御部（ＳＣＣＰ：Ｓｉｇｎａｌｉｎｇ  Ｃｏｎｎｅｃｔｉｏｎ  Ｃｏｎｔｒｏｌ  Ｐａｒｔ）に基づく信号は、サービス中のＭＳＣ３０からＳＩＷＦノード１９０へ必要な制御データを転送するために利用されてもよい。しかしながら、これらのＳＣＣＰに基づく信号は、確立された第１の回線呼接続２００から個別的に送信される必要があるので、受信しているＳＩＷＦノード１９０は、受信した制御データを識別して確立された第１の回線呼接続２００と相関させる必要がある。更に、アプリケーション・レイヤ信号は、通常、接続されたＳＳ７通信ネットワーク内で回線呼接続設定信号よりも低い優先順位により転送されるので、ＳＩＷＦノード１９０は、サービス中のＭＳＣ３０と第１の回線呼接続２００を確立した後に制御データを受信することがあり得る。如何なる装置、パラメータ及び設定を適用するのかを知らなければ、ＳＩＷＦには適切な装置を捕捉し、かつリンクさせる手段がない。
ここで、本発明に従って、サービス中のＭＳＣとＳＩＷＦ電気通信ノードとの間でＩＷＦ制御データ（ＣＤ）をカプセル化して転送するＩＳＵＰ信号のフォーマットを示す図４を参照する。メッセージ転送部（ＭＴＰ）フレーム２３０は、ＩＳＵＰ、ＳＣＣＰ、ＴＣＡＰ及びＭＡＰを含む全てのＳＳ７メッセージ用のキャリアとして作用して、１信号ポイントから他へ信頼性のあるメッセージ転送を行う。ＭＴＰフレーム２３０は、ＯＳＩモデルにおけるレイヤ１、２及び３の全ての機能を提供する。これは、信号ユニットの開始及び前の信号ユニットの終端を表すフラグ（Ｆ）２４０を含む。これは、更に、順方向表示ビット（ＦＩＢ）２７０、逆方向表示ビット（ＢＩＢ）２６０、順方向シーケンス番号（ＦＳＮ）３００及び逆方向シーケンス番号（ＢＳＮ）２５０を利用することにより、ＳＳ７メッセージの正しい送信を維持する基本的な誤り制御方法を含む。長さ表示（Ｌ１）２８０は、更に、どの形式の信号ユニットが送信されているのかを判断するために利用される。最後に、これは、ＩＳＵＰ、ＴＣＡＰ又は他のＭＴＰに基づくデータを着信ノードへ転送するための信号情報フィールド（ＳＩＦ）を含む。
ＩＳＵＰ信号即ちメッセージは、ＰＳＴＮにおけるデータ呼又は音声呼に使用される全ての回線を設定するため及び分解するために使用される。従って、２形式のＩＳＵＰサービス、即ち基本及び補助がある。基本サービスは、ネットワーク内の回線に対する接続を確立するための支援を行う。これらの回線は、音声送信用のオーディオ回線、又は任意のディジタル的な情報、音声又はデータ用のデータ回線であってもよい。補助サービスは、呼のパスが確立された後、メッセージ転送を典型的に含む全て他の回線関連サービスである。ＩＳＵＰ信号（又はメッセージ）のときは、ＭＴＰフレーム２３０内のＩＳＵＰ  ＳＩＦフィールド２９０内に３部分が基本的に存在する。経路選択ラベル及び回線識別符号（ＣＩＣ：Ｃｉｒｃｕｉｔ  ｉｄｅｎｔｉｆｉｃａｔｉｏｎ  ｃｏｄｅ）を含むヘッダ３０５と、あらゆるＩＳＵＰ信号に対して定義が必要な強制パラメータ（ｍａｎｄａｔｏｒｙ  ｐａｒａｍｅｔｅｒ）３１０と、付加的な任意選択データ又はパラメータを含む任意選択パラメータ（ｏｐｔｉｏｎａｌ  ｐａｒａｍｅｔｅｒ）３００とが存在する。更に、任意選択パラメータ３００内には、コンパチビリティ取扱い表示（ＰＣＩ：ｃｏｍｐａｂｉｌｉｔｙ  ｈａｎｄｌｉｎｇ  ｉｎｄｉｃａｔｉｏｎ）のように、標準化任意選択パラメータ３３０と、新任意選択パラメータ３２０とがある。本発明によれば、ＳＩＷＦ制御データは、標準化任意選択パラメータ３３０における新しい信号情報用のコンパチビリティ取扱い情報と共に、新しい任意選択パラメータ３２０に挿入される。
特定の呼接続の前後において、必要なＩＷＦ制御データをカプセル化し、かつ転送するために、初期アドレス・メッセージ（ＩＡＭ：Ｉｎｉｔｉａｌ  Ａｄｄｒｅｓｓ  Ｍｅｓｓａｇｅ）信号及び解放（ＲＥＬ：Ｒｅｌｅａｓｅ）信号のように、基本サービス信号が利用される。他方、回線呼接続中に、サービス中のＭＳＣとＳＩＷＦノードとの間で必要なＩＷＦ制御データをカプセル化し、かつ転送するために、呼経過（ＣＰＧ：Ｃａｌｌ  Ｐｒｏｇｒｅｓｓ）信号のように、補助サービス信号が利用される。
ここで、本発明によりＩＳＵＰメッセージ３５０〜３６０を使用して、サービス中のＭＳＣ３０とＳＩＷＦノード１９０との間におけるＩＷＦ制御データ（ＣＤ）３８０〜３９０の通信を示す図５及び６の両方を参照する。サービス中のＭＳＣ３０内のＩＷＦアプリケーション・モジュール１７０は、移動局２０に向かってＩＷＦサービスを要求する指示を受信する。このような指示は、発呼接続用のＤＴＡＰ信号８０、着呼接続用の呼設定終端信号、又は既に確立した呼接続中にＩＷＦサービス要求を指示するサービス符号若しくは他のコマンドであってもよい。このような指示に応答して、ＩＷＦアプリケーション・モジュール１７０は、要求されたＩＷＦサービスと関係する適切なＩＷＦ制御データを識別し、かつ着呼番号としてＳＩＷＦ電気通信ノード１９０に割り付けられた登録番号を使用して第１のＩＳＵＰ信号３５０を送信する。送信されたＩＳＵＰ信号３５０内の任意選択パラメータは、ＩＷＦアプリケーション・モジュール１７０により識別され、実際に一方のノードから他方のノードへ制御データ（ＣＤ）の通信用プロトコルを定義しているＩＷＦ制御データ（ＣＤ）３９０をカプセル化する。その結果、サービス中のＭＳＣ３０からＳＩＷＦ電気通信ノード１９０への第１の回線呼接続２００が確立される。ＳＩＷＦ電気通信ノード１９０内のＳＩＷＦアプリケーション・モジュール１８０は、受信したＩＳＵＰ信号３５０の任意選択パラメータ内にカプセル化されたＩＷＦ制御データ３９０を抽出し、かつ適切なＩＷＦハードウェア又はソフトウェア装置を識別する。例えば、モデム呼接続要求のときは、抽出されたＩＷＦ制御データにより表された適切なパラメータ及び設定によりモデム１２０が捕捉され、かつ第１の回線呼接続２０とリンク３７０される。従って、モデム１２０は、ここで第１の回線呼接続２００を介して通信されるアナログ又はディジタル・データに対するアクセスを有する。
移動局２０に対する端末呼接続のときは、ＳＩＷＦアプリケーション・モジュール１８０は、サービス中のＭＳＣ３０へＩＡＭのような他の呼設定ＩＳＵＰ信号３６０を返送する。再び、送信されたＩＳＵＰ信号内の任意選択パラメータは、ＳＩＷＦアプリケーション・モジュール１８０によるモデム捕捉の結果を示すＩＷＦ制御データ３８０を含む。その結果、サービス中のＭＳＣ３０とＳＩＷＦ電気通信ノード１９０との間に第２の回線呼接続２１０が確立される。更に、第２の回線呼接続２１０は、第１の回線呼接続２００と接続され、続いてモデム装置と接続される。第１の回線呼接続２００及び２１０は、サービス中のＭＳＣ３０とＳＩＷＦノード１９０との間でデータを通信するために、１以上のスイッチ５００（例えば、複数の中間中継スイッチ）を通過してもよい。呼接続２００〜２１０を介する信号の結果として、第１の回線呼接続２００を介してモデムにより変更又は制御されるデータは、第２の回線呼接続２１０を使用してサービス中のＭＳＣ３０に返送される。次いで、変更されたデータは、ＭＳＣ３０により、無線チャネル８０を介して移動局２０に送信される。
他方、移動局２０により発生された発呼接続のときは、ＳＩＷＦ電気通信ノード１９０がサービス中のＭＳＣ３０に変更されたデータを経路選択する必要はない。ＳＩＷＦノード１９０は、例えば接続したＳＳ７通信ネットワークと中継呼接続を確立することにより、変更されたデータを着呼端末に直接、経路選択することができる。
ここで、本発明により、呼終端のために移動局にＩＷＦサービスを提供するように実行されるステップを示す図７を参照する。前述のように、ステップ４００において、サービス中のＭＳＣは、接続されたＳＳ７通信ネットワークを介して、移動局に対してＩＷＦサービスを要求する指示を受信する。更に、このような指示は、既に確立された呼接続中に受信されてもよい。例えば、既存の呼接続を介してサービス中のＭＳＣにより、音声からデータへの切り換え要求を受信してもよい。ステップ４１０において、サービス中のＭＳＣ内のＩＷＦアプリケーション・モジュールは、要求されたＩＷＦサービスを移動局に正しく提供するように装備されていないことを判断する。ステップ４２０において、ＩＷＦアプリケーション・モジュールは、このような判断に応答して、移動局に要求されたＩＷＦサービスを提供することができるＳＩＷＦノードを識別する。次いで、ステップ４３０及び４４０において、サービス中のＭＳＣは、判断されたＳＩＷＦ電気通信ノードに向けて第１のＩＳＵＰ信号を送信し、これによってサービス中のＭＳＣと識別されたＳＩＷＦ電気通信ノードとの間に第１の回線呼接続を確立する。送信されたＩＳＵＰ信号は、更に、本発明に従って、その任意選択パラメータ内にＩＷＦ制御データをカプセル化する。次いで、ステップ４５０において、ＳＩＷＦ電気通信ノードは、受信したＩＳＵＰ信号からカプセル化されたＩＷＦ制御データを抽出する。ステップ４６０において、ＳＩＷＦ電気通信ノードは、受信したＩＷＦ制御データを使用して、捕捉するために適切なＩＷＦ装置即ちモジュールを判断する。ステップ４７０において、受信した制御データにより指示されたパラメータ及び設定を適用して、捕捉したＩＷＦ装置即ちモジュールを第１の回線呼接続とリンクさせる。ここで、捕捉したＩＷＦ装置即ちモジュールは、第１の回線呼接続を介して送信されたデータを閉塞し、かつ要求されたＩＷＦサービスに適合するようにデータを変更又は操作することができる。そこで、ステップ４８０において、ＳＩＷＦ電気通信ノードは、サービス中のＭＳＣへ初期アドレス・メッセージ（ＩＡＭ）のように、他のＩＳＵＰ信号を返送して第２の回線呼接続を確立する。更に、送信されたＩＡＭ信号は、その任意選択パラメータに装置捕捉の結果を示す付加的な制御データを含む。次いで、変更又は操作されたデータは、第２の回線呼接続を介してサービス中のＭＳＣに返信され、かつサービス中のＭＳＣは、最終的な着側へ受信した変更データを適切に経路選択する。その後、更に、確立した呼接続中にサービス中のＭＳＣ又はＳＩＷＦ電気通信ノードが付加的な制御データを通信したいときは、呼経過（ＣＰＧ）メッセージのように、補助的なＩＳＵＰ信号を送信して付加的な制御データをカプセル化して送信することができる。例えば、モデム接続の完了後に、ＣＧＰメッセージを使用して、データ呼から逆に音声呼へ切り換えるように指令を通信することができる。その結果、サービス中のＭＳＣとＳＩＷＦ電気通信ノードとの間の第１及び第２の回線呼接続を解放し、その後、サービス中のＭＳＣは要求された移動サービスを独立して提供する。
本発明の方法及び装置の好ましい実施例を添付する図面に示すと共に、以上の詳細な説明により説明したが、本発明は開示した実施例に限定されず、前述し、かつ以下の請求項により定義したように本発明の精神から逸脱することなく、多数の再構成、変更及び置換が可能なことを理解すべきである。
【図１】
0003983299.tif 000002
【図２】
0003983299.tif 000003
【図３】
0003983299.tif 000004
【図４】
0003983299.tif 000005
【図５】
0003983299.tif 000006
【図６】
0003983299.tif 000007
【図７】
0003983299.tif 000008